(57)【要約】【課題】本発明は、パネルの組立てが内側から行えると共に、組立金具の突起が露出せず、かつ建物内のコーナー部に設置することが可能な携帯電話用防音ボックスを提供することを目的とするものである。【解決手段】本発明は、背面用壁部３および左、右側用壁部４，５は、前記床基台部２と前記天井部６との間でその上下端が内側より締結可能とされる連結機構を有し、前記左、右側用壁部４，５、床基台２及び天井部６の開放側端の周縁には防音パッキン２２が取り付けられるとともに、該左、右側用壁部４，５の開放側端間には、扉部７が開閉自在な状態で枢着された構成とする。【選択図】図１
2008038342.tif 000002
【特許請求の範囲】
【請求項１】
遮音性を有する背面用壁部、左、右側用壁部、扉部と床基台部および天井部とから構成され、これらを組み立てて形成される携帯電話用防音ボックスにおいて、
前記背面用壁部および左、右側用壁部は、前記床基台部と前記天井部との間でその上下端が内側より締結可能とされる連結機構を有し、
前記左、右側用壁部の開放側端の周縁には防音パッキンが取り付けられるとともに、該左、右側用壁部の開放側端間には、窓部が取り付けられる扉部が開閉自在な状態で枢着される
ことを特徴とする携帯電話用防音ボックス。
【請求項２】
前記床基台部は、屋内のコーナー部に密接する形状とされる
ことを特徴とする請求項１記載の携帯電話用防音ボックス。
【請求項３】
前記背面用壁部および左、右側用壁部並びに扉部内面に無数の吸音穴が設けられる反射音軽減内面板が取り付けられる
ことを特徴とする請求項１または２記載の携帯電話用防音ボックス。
【発明の詳細な説明】
【技術分野】
【０００１】
本発明は、携帯電話用防音ボックスに関する。詳しくは駅構内などのように騒音の激しい場所、あるいはホテルのラウンジなどのように静寂な場所において騒音を気にせず、かつ他人に迷惑をかけずに通話をすることができる携帯電話用防音ボックスに係るものである。
【背景技術】
【０００２】
従来より公衆電話ボックスは、路上脇に設置されるものであり、防犯のために内部が確認できるように側壁やドアにガラスが組み込まれた構成のものが多く、防音効果よりも安全性に重点が置かれているのが現状である。
【０００３】
しかし近年、携帯電話の需要が増加し、公衆電話の利用が激減する反面、商業ビルや駅構内など、あらゆる場所において携帯電話による通話が行われている。例えば、地下街や駅構内などの場所では非常に騒音が高く、聞き取りにくいために何度も聞き返したり、大声で会話をしている姿を見かける。また、ホテルなどのラウンジ等では非常に静かであり、携帯電話による会話では、会話がラウンジ内に響き、他人に迷惑をかけることが多々ある。
【０００４】
いっぽう、楽器の練習や発声練習等を行う場合の防音室として図８に示すような、発明がある。この発明は、遮音性能を有するドアパネル１０１、壁パネル１０２、床パネル１０３、天井パネル１０４およびこれらのパネルを締着固定する組立金具１０５とからなる。この組立金具１０５は、Ｌ字型のコーナー金具と本体金具とから形成し、コーナー金具は、ドアパネル１０１、壁パネル１０２、床パネル１０３、天井パネル１０４への固定部と係合受部とから成る。係合受部に係合する掛止具と、掛止具を締め付ける操作レバーから構成され、これら組立金具１０５によってドアパネル１０１、壁パネル１０２、床パネル１０３、天井パネル１０４を連結する（特許文献１参照。）。
【０００５】
【特許文献１】特開２０００−１７８６８号公報（要約書、第１図）
【発明の開示】
【発明が解決しようとする課題】
【０００６】
前記構成の防音室では、床パネルを設置場所に置いた状態で防音室の内側から前記ドアパネル、壁パネル、天井パネルの組立てが組立金具によって組立・分解作業が行えるものであるが、レバーによって容易に分解することができることから公衆電話ボックスのように不特定多数の者が使用する場合には、故意にレバーを解除し、他の者が使用する際に倒壊するなどの問題が起こる恐れがある。
【０００７】
また、楽器の練習や発声練習等を行う場合の防音室ではある程度の広さが確保され、特定の者が使用するために、事前の注意を促すことによって前記壁パネルに露出突起する組立金具に衣服や楽器等を引っ掛けることを未然に防ぐことができるが、電話ボックスのように非常に狭い場所で不特定多数の者が使用する場合には、衣服等を引っ掛けることでレバーが解除してパネルが脱落する、あるいは衣服等を傷つけるなどの問題がある。
【０００８】
また、駅構内や地下街、あるいはホテルのラウンジなどの建物内に電話ボックスを設けようとする場合には、目立たなく、かつ通行の邪魔とならない場所での設置が必要となる。
【０００９】
本発明は、以上の点に鑑みて創案されたものであって、パネルの組立てが内側から行えると共に、組立金具の突起が露出せず、かつ建物内のコーナー部に設置することが可能な携帯電話用防音ボックスを提供することを目的とするものである。
【課題を解決するための手段】
【００１０】
上記の目的を達成するために、本発明に係る携帯電話用防音ボックスは、遮音性を有する背面用壁部、左、右側用壁部、扉部と床基台部および天井部とから構成され、これらを組み立てる携帯用電話ボックスにおいて、前記背面用壁部および左、右側用壁部は、前記床基台部と前記天井部との間でその上下端が内側より締結可能とされる連結機構を有し、前記左、右側用壁部の開放側端の周縁には防音パッキンが取り付けられるとともに、該左、右側用壁部の開放側端間には、窓部が取り付けられる扉部が開閉自在な状態で枢着された構成とする。
【００１１】
ここで、前記背面用壁部、左、右側用壁部、扉部と床基台部および天井部は少人数での搬送が可能とし、床基台部をコーナー部に載置することにより床基台部内より背面用壁部および前記左側用壁部並びに右側用壁部、天井部、扉部の取り付けが一人で行うことが可能となる。
【００１２】
これにより、騒音の激しい駅構内などに設置した場合には外部の騒音に邪魔されずに携帯電話による会話が行え、静寂なホテルのロビーに設置した場合には他人に迷惑を掛けずに会話を行うことが可能となる。
【００１３】
本発明による携帯電話用防音ボックスでは、床パネル、壁パネル、天井パネルおよびドアパネルを設置場所に運び入れての組立てが可能となるために、組み立てた状態での運び入れに比べて手間が省けて運搬コストが安くなる。
【００１４】
また、内側からの組立てが行えるために、コーナー部分などのように外側のスペースが確保できない個所でも床パネルを設置することにより動かすことなく組立てが行えるものである。
【００１５】
さらに、組立てに際しては、壁面パネルに組立金具などの突起が露出することがないために、使用者の衣服を引っ掛けることなく、かつ故意に組立を解除するような事故を未然に防ぐことができる。
【００１６】
また、設置場所での組立・分解が可能となることから、例えば公演会場やイベント会場など特定場所でのレンタル設置が可能となる。
【発明を実施するための最良の形態】
【００１７】
以下、本発明の実施の形態を図面を参酌しながら説明し、本発明の理解に供する。
図１は、本発明を適用した携帯電話用防音ボックスの一例を示す分解構成図、図２は、図１における組立て状態の斜視図、図３は、図２Ａ−Ａ線における断面説明図である。
【００１８】
ここで示す電話ボックス１は、床基台部２とそれぞれ防音材が装着された背面用壁部３、左側用壁部４、右側用壁部５、天井部６および扉部７から構成される。そして目的とする設置場所に前記床基台部２を仮置きして位置決めをする。この床基台部２の上に前記背面用壁部３、左側用壁部４および右側用壁部５を順次組立て、これらの背面用壁部３、左側用壁部４および右側用壁部５の上に天井部６を取り付けて各部材に設けられた4個所の扉受け部８が形成される。この扉受け部８に防音パッキン２２を装着して前記扉部７を開閉自在に取り付けて電話ボックス１が組み立てられる。
【００１９】
そこで前記床基台部２は、建物内のコーナーに設置できるように背面側に９０度角度の辺を有する五角形状とされる。この床基台部２の各辺に沿って背面用壁部取付け用ネジ穴９、左側用壁部取付け用ネジ穴９Ａ、右側用壁部取付け用ネジ穴９Ｂがそれぞれ穿孔される。
【００２０】
次に、前記背面用壁部３、左側用壁部４および右側用壁部５は、スチール製の枠体内に防音材１０が装着された構成とされるものであり、これらの下端には前記床基台部２の各辺に沿って背面用壁部取付け用ネジ穴９、左側用壁部取付け用ネジ穴９Ａ、右側用壁部取付け用ネジ穴９Ｂの位置に応じて皿状取付穴１９、１９Ａ、１９Ｂがそれぞれ内側に突設される。
【００２１】
また、図１に示すように、前記背面用壁部３、左側用壁部４および右側用壁部５上端には、図４に示すように前記天井部６の各辺に沿って貫通されるネジ貫通穴１１とネジ挿入穴１８に相対するボルト状のネジ部１２およびネジ部１２Ａが突設される。さらに、前記背面用壁部３と左側用壁部４および右側用壁部５との接続端面にはスポンジパッキン１３が前記背面用壁部３の左，右に貼り付けられるものである。
【００２２】
前記天井部６は、前記背面用壁部３、左側用壁部４および右側用壁部５の上端に突設されるネジ部１２に相対するネジ貫通穴１１とネジ部１２Ａに相対するネジ挿入穴１８が設けられると共に、天窓１４が取り付けられている。
【００２３】
また、扉部７には窓部１４Ａが設けられ、一端側にはノブ１５が設けられ、他端側には蝶番部材１６が取り付けられる。
【００２４】
次に、電話ボックス１の組み立て工程を詳述する。
まず、前記床基台部２をホールなどのコーナーに嵌合せるように設置する。そして前記背面用壁部３を床基台部２に載せて、該背面用壁部３の皿状取付穴１９と前記床基台部２の背面用壁部取付け用ネジ穴９を合せた状態で図５に示すように、皿ネジ１７によって前記床基台部２上に締結固着する。
【００２５】
次に、前記背面用壁部３の両側に左側用壁部４および右側用壁部５を配置し、その接続端面に取り付けられるスポンジパッキン１３を前記背面用壁部３の両側端面に押圧しながら前記左側用壁部４および右側用壁部５の皿状取付穴１９Ａ、１９Ｂを床基台部２の左側用壁部取付け用ネジ穴９Ａおよび右側用壁部取付け用ネジ穴９Ｂに合せた状態で皿ネジ１７によって前記床基台部２上に締結固着する。
【００２６】
このようにして前記床基台部２上に立設された前記背面用壁部３および前記左側用壁部４並びに右側用壁部５の上端にはボルト状のネジ部１２およびネジ部１２Ａが突設されることになる。そこで前記ネジ部１２は前記天井部６を貫通する長さを有し、前記ネジ部１２Ａは前記ネジ部１２の約１／２長さとされる。
【００２７】
そして前記それぞれのネジ部１２およびネジ部１２Ａに対して天井部６のネジ貫通穴１１およびネジ挿入穴１８を挿通して天井部６を前記背面用壁部３および前記左側用壁部４並びに右側用壁部５の上端に取り付ける。ここで、前記天井部６を貫通するネジ部１２に対しては、ナット部材２０によって締結固定する。また、必要に応じて前記図１に示すような断面Ｌ字状に折曲形成される転倒防止金具２１を取り付けるものとする。
【００２８】
また、前記天井部６のネジ挿入１８に挿穴通されるネジ部１２Ａは、図６に示すように、スチール製枠体２３に挿通された状態で、ナット部材２０によって締結固定するものである。
【００２９】
次に、扉部７を取り付ける前の状態の扉受け部８の開口端に沿って図３に示すように、防音パッキン２２を取り付ける。そして扉部７の蝶番部材１６を前記右側用壁部５の開放端面に連結固定することによって前記扉部７を閉めた場合に、前記扉部７が前記防音パッキン２２と圧接した状態となり内外からの音を遮断することができる。
【００３０】
このようにして組み立てられた電話ボックス１内の前記背面用壁部３、前記左側用壁部４、右側用壁部５および扉部７の内壁面に対して図７に示すように、開口率が３２〜３５％程度となるように吸音穴２４が設けられる反射音軽減内面板２５が取り付けられる。
【００３１】
次に、図７（イ）、（ロ）、（ハ）、（ニ）に示すのは、電話ボックス１の平面形状が異なる他の例を示すものである。
ここで、図７（イ）、（ロ）で示すように、屋内のコーナー部に設置できるような形状構造とすることが最も望ましいものであるが、展示会場や公演会場などに短期間設置する場合には図７（ハ）、（ニ）で示される形状構造であっても構わない。
【００３２】
以上の構成よりなる本発明の携帯電話用防音ボックスでは、少人数での搬送が可能な部品点数とし、床基台部２をコーナー部に載置することにより床基台部２内より背面用壁部３および前記左側用壁部４並びに右側用壁部５、天井部６、扉部７の取り付けが一人で行うことが可能となる。
【００３３】
また、取付けに際しては取付け金具などが突出することがなく、故意による取り外しが不可能となる。また、前記背面用壁部３および前記左側用壁部４並びに右側用壁部５、扉部７内面に吸音穴２４が設けられる反射音軽減内面板２５を取り付けることで締結部材に直接に触れることがなく、衣服などを引っ掛けることがない。
【００３４】
このような携帯電話用防音ボックスにおける遮音効果を詳述する。
地下街や駅構内の平均的な音量は９０〜１００デシベルとされ、通常会話の音量は４０〜５５デシベルの範囲とされる。また、通常の会話が聞こえない音量は２０〜３０デシベルとされる。
【００３５】
また、会話の周波数としては、男子の場合では１００〜２００Ｈｚ  バス：８０Ｈｚ以下とされ、女子の場合では２００〜４００Ｈｚ  ソプラノ：１０００Ｈｚ以下とされる。
【００３６】
そこで本発明の携帯電話用防音ボックスをコーナーに設置し、該携帯電話用防音ボックスに音源を設け、前記携帯電話用防音ボックスの扉部より距離１ｍおよび高さ１ｍの位置に騒音計測器を配置して音圧（ｄＢ）の測定を行った結果を下記表１に示す。
【００３７】
【表１】
2008038342.tif 000003
【００３８】
例えば、男の人は１２５Ｈｚの周波数域で比較的大きい音声（８６．７ｄＢ）で会話した場合には、携帯電話用防音ボックスの扉部より１ｍの位置で５８．７（ｄＢ）となり、扉部に二重窓を設置した場合には５６．７（ｄＢ）となり約３０（ｄＢ）の吸音がされたことになる。
【００３９】
すなわち男女ともに比較的大きな声で会話した場合でも約３０（ｄＢ）の吸音がされることにより一般的なホテルのロビーの音量（４０〜５０ｄＢ）となり他人に会話を聞き取られることなくプライベートな会話を楽しむことが可能となる。
【００４０】
また、本発明の携帯電話用防音ボックスを駅構内などの騒音の激しい場所に設置した場合では、約５０（ｄＢ）の吸音がされることによりボックス内の音量が（４０〜５０ｄＢ）の環境となり、通常の通話を行うことが可能となる。
【図面の簡単な説明】
【００４１】
【図１】本発明を適用した携帯電話用防音ボックスの一例を示す分解構成図である。
【図２】図１における組立て状態を示す斜視図である。
【図３】図２のＡ−Ａ線における断面説明図である。
【図４】本発明を適用した携帯電話用防音ボックスの天井部の内面側を示す説明図である。
【図５】本発明を適用した携帯電話用防音ボックスの床基台部と背面用壁部および前記左側用壁部並びに右側用壁部との接続機構の一例を示す説明図である。
【図６】本発明を適用した携帯電話用防音ボックスの天井部と背面用壁部および前記左側用壁部並びに右側用壁部との接続機構の一例を示す説明図である。
【図７】本発明を適用した携帯電話用防音ボックスの防音性壁部材の一例を示す説明図である。
【図８】本発明を適用した携帯電話用防音ボックスの他の形状構造を示す説明図である。
【図９】従来の組立式防音室の一例を示す説明図である。
【符号の説明】
【００４２】
１      電話ボックス
２      床基台部
３      背面用壁部
４      左側用壁部
５      右側用壁部
６      天井部
７      扉部
８      扉受け部
９      背面用壁部取付け用ネジ穴
９Ａ    左側用壁部取付け用ネジ穴
９Ｂ    右側用壁部取付け用ネジ穴
１０    防音材
１１    ネジ貫通穴
１２、１２Ａ    ネジ部
１３    スポンジパッキン
１４    天窓
１４Ａ  窓部
１５    ノブ
１６    蝶番部材
１７    皿ネジ
１８    ネジ挿入穴
１９    皿状取付穴
１９Ａ  皿状取付穴
１９Ｂ  皿状取付穴
２０    ナット部材
２１    転倒防止金具
２２    防音パッキン
２３    スチール製枠体
２４    吸音穴
２５    反射音軽減内面板
【図１】
2008038342.tif 000004
【図２】
2008038342.tif 000005
【図３】
2008038342.tif 000006
【図４】
2008038342.tif 000007
【図５】
2008038342.tif 000008
【図６】
2008038342.tif 000009
【図７】
2008038342.tif 000010
【図８】
2008038342.tif 000011
【図９】
2008038342.tif 000012